(57)【要約】【課題】  切替スイッチを切り替えて行う点検が容易なモジュラコンセントを提供する。【解決手段】  電話機が接続される電話機用モジュラジャックと、スプリッタのＬＩＮＥ端子へ接続されるスプリッタ入力側用モジュラジャックと、スプリッタのＰＨＯＮＥ端子へ接続されるスプリッタ出力側用モジュラジャック２ｃとを備える。また、スプリッタ出力側用モジュラジャック２ｃのプラグ挿入口２１ａを開閉する扉体８ｃに連動し、入力端子とモジュラジャックとの接続関係を切り替える切替スイッチ９１を備える。扉体８ｃの開閉操作によって切替スイッチ９１を切り替えることができるから、モジュラジャックに挿入されるモジュラプラグによって切替スイッチ９１が操作される場合に比べ、切替スイッチ９１を切り替えて行う点検が容易となる。【選択図】図１
2007227176.tif 000002
【特許請求の範囲】
【請求項１】
加入者線が接続される入力端子と、
モジュラプラグを介して電話機が接続される電話機用モジュラジャックと、モジュラプラグを介してスプリッタのＬＩＮＥ端子へ接続されるスプリッタ入力側用モジュラジャックと、モジュラプラグを介してスプリッタのＰＨＯＮＥ端子へ接続されるスプリッタ出力側用モジュラジャックと、
入力端子を電話機用モジュラジャックとスプリッタ入力側用モジュラジャックとの一方に択一的に接続する切替スイッチと、
入力端子と各モジュラジャックと切替スイッチとをそれぞれ保持するハウジングとを備え、
各モジュラジャックについて、モジュラプラグが挿入されるプラグ挿入口を開閉する扉体がそれぞれハウジングに設けられ、
切替スイッチは、スプリッタ入力側用モジュラジャックのプラグ挿入口を開閉する扉体とスプリッタ出力側用モジュラジャックのプラグ挿入口を開閉する扉体とのいずれかに連動し、連動する扉体が閉じた状態では入力端子を電話機用モジュラジャックに接続し、連動する扉体が開いた状態では入力端子をスプリッタ入力側用モジュラジャックに接続することを特徴とするモジュラコンセント。
【請求項２】
切替スイッチは、スプリッタ出力側用モジュラジャックのプラグ挿入口を開閉する扉体に連動することを特徴とする請求項１記載のモジュラコンセント。
【発明の詳細な説明】
【技術分野】
【０００１】
本発明は、モジュラコンセントに関するものである。
【背景技術】
【０００２】
従来から、モジュラコンセントとして、加入者線に接続される入力端子と、それぞれモジュラプラグが接続される複数個のモジュラジャックと、入力端子と各モジュラジャックとの相互の電気的接続を切り替える切替スイッチとを備えるものが提供されている。
【０００３】
上記構成によれば、例えば、加入者線から入力された信号を電話機用の信号とＡＤＳＬ（Asymmetric Digital Subscriber Line：非対称デジタル加入者線）用の信号とに分離するスプリッタを用いるか否かを容易に変更可能とすることができる。
【０００４】
ここで、スプリッタは、加入者線に接続されるＬＩＮＥ端子と、パーソナルコンピュータなどの端末機にモデムを介して接続されるＡＤＳＬ端子と、電話機やファクシミリなどの通信用機器（以下、「電話機等」と呼ぶ。）に接続されるＰＨＯＮＥ端子とを備え、ＬＩＮＥ端子から入力された電気信号をＡＤＳＬ信号とそれ以外の信号（以下、「電話用信号」と呼ぶ。）に分け、ＡＤＳＬ信号をＡＤＳＬ端子から出力するとともに、電話用信号をＰＨＯＮＥ端子から出力するものである。
【０００５】
具体的には、モジュラコンセントは、上記複数個のモジュラジャックとして、スプリッタのＬＩＮＥ端子へモジュラプラグを介して接続されるスプリッタ入力側用モジュラジャックと、スプリッタのＰＨＯＮＥ端子へモジュラプラグを介して接続されるスプリッタ出力側用モジュラジャックと、スプリッタ出力側用モジュラジャックに接続されるとともに電話機等がモジュラプラグを介して接続される電話機用モジュラジャックとを備える。また、切替スイッチは、入力端子を、電話機用モジュラジャックとスプリッタ入力側用モジュラジャックとの一方に択一的に切り替える。この構成によれば、電話機等を電話機用モジュラジャックに接続したままでも、切替スイッチの切り替えのみによってスプリッタの使用・不使用を容易に変更することができる。
【０００６】
さらに、この種のモジュラコンセントとして、スプリッタ入力側用モジュラジャックとスプリッタ出力側用モジュラジャックとの一方においてモジュラプラグが挿入されるプラグ挿入口の内部に、切替スイッチにおいて接点を切り替えるための操作釦を露出させ、プラグ挿入口に挿入されたモジュラプラグによって上記操作釦が押されることにより、プラグの挿抜に伴って切替スイッチが自動的に切り替えられるようにしたものがある（例えば、特許文献１参照）。具体的には、上記プラグ挿入口にモジュラプラグが接続されていない状態では電話機用モジュラジャックに、上記プラグ挿入口にモジュラプラグが接続された状態ではスプリッタ入力側用モジュラジャックに、それぞれ入力端子の接続先を択一的に切り替えるものとする。上記構成によれば、上記プラグ挿入口へのモジュラプラグの抜き差しに伴って接続が自動的に切り替えられる。
【特許文献１】特開２００５−３１８３０２号公報（第９頁１〜４３行目及び図４，図５参照）
【発明の開示】
【発明が解決しようとする課題】
【０００７】
ところで、上記従来構成において、モジュラコンセントの施工直後などの点検時に、切替スイッチの動作を確認するには、上記操作釦を押操作する必要がある。しかし、操作釦はプラグ挿入口の内部にあるため、押操作しにくく、従って点検が困難であった。
【０００８】
本発明は上記事由に鑑みて為されたものであり、その目的は、切替スイッチを切り替えて行う点検が容易なモジュラコンセントを提供することにある。
【課題を解決するための手段】
【０００９】
請求項１の発明は、加入者線が接続される入力端子と、モジュラプラグを介して電話機が接続される電話機用モジュラジャックと、モジュラプラグを介してスプリッタのＬＩＮＥ端子へ接続されるスプリッタ入力側用モジュラジャックと、モジュラプラグを介してスプリッタのＰＨＯＮＥ端子へ接続されるスプリッタ出力側用モジュラジャックと、入力端子を電話機用モジュラジャックとスプリッタ入力側用モジュラジャックとの一方に択一的に接続する切替スイッチと、入力端子と各モジュラジャックと切替スイッチとをそれぞれ保持するハウジングとを備え、各モジュラジャックについて、モジュラプラグが挿入されるプラグ挿入口を開閉する扉体がそれぞれハウジングに設けられ、切替スイッチは、スプリッタ入力側用モジュラジャックのプラグ挿入口を開閉する扉体とスプリッタ出力側用モジュラジャックのプラグ挿入口を開閉する扉体とのいずれかに連動し、連動する扉体が閉じた状態では入力端子を電話機用モジュラジャックに接続し、連動する扉体が開いた状態では入力端子をスプリッタ入力側用モジュラジャックに接続することを特徴とする。
【００１０】
この発明によれば、切替スイッチに連動する扉体の開閉操作によって切替スイッチを切り替えることができるから、モジュラジャックに挿入されるモジュラプラグによって切替スイッチが操作される場合に比べ、切替スイッチを切り替えて行う点検が容易となる。
【００１１】
請求項２の発明は、請求項１の発明において、切替スイッチは、スプリッタ出力側用モジュラジャックのプラグ挿入口を開閉する扉体に連動することを特徴とする。
【００１２】
この発明によれば、電話機用モジュラジャックに接続された機器は、スプリッタを介しているか否かを問わず確実に加入者線との接続が確保される。
【発明の効果】
【００１３】
本発明によれば、入力端子とモジュラジャックとの接続を切り替える切替スイッチが、モジュラジャックにおいてモジュラプラグが挿入されるプラグ挿入口を開閉する扉体に連動するので、扉体の開閉操作によって切替スイッチを切り替えることができるから、モジュラジャックに挿入されるモジュラプラグによって切替スイッチが操作される場合に比べ、切替スイッチを切り替えて行う点検が容易となる。
【発明を実施するための最良の形態】
【００１４】
以下、本発明を実施するための最良の形態について、図面を参照しながら説明する。
【００１５】
本実施形態は、図１（ａ）及び図２に示すように、それぞれモジュラプラグ（図示せず）が挿入される３個のプラグ挿入穴１０ａ〜１０ｃが前面に設けられた略直方体形状のハウジング１を備える。以下、構造の説明に当たっては、上下方向は図２を基準とし、図２の左上−右下方向を左右方向と呼び、図２の左下−右上方向を前後方向と呼ぶ。
【００１６】
ハウジング１には、図３に示すように、３個のモジュラジャック２ａ〜２ｃがプリント配線板２０にそれぞれ実装されてなるモジュラブロック２と、加入者線（図示せず）が接続される入力端子３０（図４（ａ）（ｂ）参照）を有する入力端子ブロック３とが収納されている。
【００１７】
ハウジング１は、モジュラブロック２や入力端子ブロック３がそれぞれ収納される収納凹部４０が前面に開口した後側ボディ４と、後面が開放された略直方体形状であってプラグ挿入穴１０ａ〜１０ｃが前面に開口し後側ボディ４の前側に結合して収納凹部４０を覆う前側ボディ５とからなる。後側ボディ４の収納凹部４０の底面には、入力端子３０を後方へ露出させるための端子露出穴４０ａが前後に貫設されている。後側ボディ４及び前側ボディ５はそれぞれ例えば合成樹脂成形品からなり、それぞれ上下左右の寸法が既成の取付枠（図示せず）に３個まで取付可能な配線器具の３個分の寸法（以下、「３個モジュール寸法」と呼ぶ。）となっている。
【００１８】
後側ボディ４と前側ボディ５とは、例えば金属板に打ち抜き加工や曲げ加工が施されてなる組立枠６によって互いに結合する。
【００１９】
組立枠６の形状について詳しく説明する。組立枠６は、ＪＩＳ  Ｃ  ８３７５に規定された取付枠に準じた寸法及び形状に形成され、３個モジュール寸法に形成された露出穴６０を有する。露出穴６０の左右には、それぞれ係合穴６１ａが左右に貫設された結合片６１が、上下に並べて２個ずつ後方へ突設されている。また、係合穴６１ａの内周の前端には、当接突起６１ｂが後方へ突設されている。後側ボディ４及び前側ボディ５の左右の側面には、それぞれ結合突起４１，５１が上下に並べて２個ずつ左右方向外向きに突設されていて、前側ボディ５の結合突起５１の前面には凹部５１ａが設けられている。そして、各結合突起４１，５１が組立枠６の係合穴６１ａに挿入され、組立枠６の当接突起６１ｂが前側ボディ５の結合突起５１の凹部５１ａに挿入されるとともに後側ボディ４の結合突起４１の後面が組立枠６の結合片６１に係止されることによって、前側ボディ５の前面が露出穴６０から露出する形で後側ボディ４と前側ボディ５とは結合している。
【００２０】
また、組立枠６は、壁面等の施工面（図示せず）へハウジング１を取り付けるための取付枠を兼ねており、組立枠６の上下両端部には、埋込ボックス（図示せず）へのねじ止めのためのねじが挿通されるボックス穴６ａと、周知の挟み金具（図示せず）を取り付けるための挟み穴６ｂと、前面にプレート枠（図示せず）を取り付けるためのプレート穴６ｃと、壁面に直接ねじ止めする際にねじが挿通される直付け穴６ｄとがそれぞれ前後に貫設されている。
【００２１】
次に、モジュラジャック２ａ〜２ｃ周辺の構成について説明する。本実施形態におけるモジュラジャック２ａ〜２ｃは、図４（ａ）（ｂ）に示すように、モジュラプラグを介して電話機等（図示せず）が接続される電話機用モジュラジャック２ａと、モジュラプラグを介してスプリッタＳＰのＬＩＮＥ端子へ接続されるスプリッタ入力側用モジュラジャック２ｂと、モジュラプラグを介してスプリッタＳＰのＰＨＯＮＥ端子へ接続されるスプリッタ出力側用モジュラジャック２ｃとである。電話機用モジュラジャック２ａとスプリッタ出力側用モジュラジャック２ｃとは互いに接続されている。電話機用モジュラジャック２ａはハウジング１の右上端付近に配置され、スプリッタ入力側用モジュラジャック２ｂとスプリッタ出力側用モジュラジャック２ｃとはそれぞれハウジング１の下端付近に左右に並べて配置されている。また、各モジュラジャック２ａ〜２ｃは、それぞれ、モジュラケーブル（図示せず）に設けられたモジュラプラグが挿入されるプラグ挿入口２１ａが前面に開口した略直方体形状のハウジング２１を有する。各プラグ挿入口２１ａの内部には、それぞれ導電材料からなりモジュラプラグに設けられたコンタクト（図示せず）に一対一に接触導通するコンタクト（図示せず）が設けられている。ここで、入力端子３０はそれぞれモジュラケーブルを構成する素線に一対一に対応する複数個の導電体で構成されており、本願明細書において単に「接続」といった場合には、対応する導電体同士を互いに電気的に接続することを指す。なお、図４（ａ）（ｂ）では、１本のモジュラケーブルや１個のモジュラジャック２ａ〜２ｃに対応する複数本の導電路を、簡単のために一本の線で表している。
【００２２】
プラグ挿入穴１０ａ〜１０ｃは、電話機用モジュラジャック２ａのプラグ挿入口２１ａの前側に位置する電話機用プラグ挿入穴１０ａと、スプリッタ入力側用モジュラジャック２ｂのプラグ挿入口２１ａの前側に位置するスプリッタ入力側用プラグ挿入穴１０ｂと、スプリッタ出力側用モジュラジャック２ｃのプラグ挿入口２１ａの前側に位置するスプリッタ出力側用プラグ挿入穴１０ｃとである。前側ボディ５の前面には、底面に電話機用プラグ挿入穴１０ａが開口した第１の凹部１１と、底面にスプリッタ入力側用プラグ挿入穴１０ｂ及びスプリッタ出力側用プラグ挿入穴１０ｃがそれぞれ開口した第２の凹部１２とが設けられている。
【００２３】
さらに、前側ボディ５には、第２の凹部１２を開閉するカバー１３が取り付けられている。第２の凹部１２を閉じた状態での方向を基準として詳しく説明すると、カバー１３は、左右に長く前後に扁平であって後面が開放された直方体形状である。カバー１３の左右両端面のそれぞれ下端部には軸突起１３ａが左右方向の外向きに突設され、第２の凹部１２の左右の内面の下端部にはそれぞれ軸受け凹部１２ａが設けられており、軸突起１３ａが軸受け凹部１２ａに軸支されることにより、カバー１３は図２や図５に示すように短手方向（図３での上下方向）のうち軸突起１３ａから離れた側の一端（図３での上端。以下、「可動端」と呼ぶ。）を上方に向けて第２の凹部１２に収納された状態でプラグ挿入穴１０ｂ，１０ｃを覆う閉位置と、図６に示すように可動端を前方へ向けて第２の凹部１２を開放しプラグ挿入穴１０ｂ，１０ｃを露出させる開位置との間で前側ボディ５に対して回動自在となっている。また、カバー１３の左右両端面において可動端側の端部には、それぞれ係止突起１３ｂが左右方向の外側へ突設され、第２の凹部１２の左右の内面のそれぞれ上端部には係止凹部１２ｂが設けられていて、閉位置では係止突起１３ｂが係止凹部１２ｂに係入することにより、カバー１３の開位置への回動が禁止される。さらに、第２の凹部１２の上側の内面において左右方向の中央には、前方に開放された操作凹部１２ｃが設けられ、カバー１３の可動端側の端面において左右方向の中央には後方に開放された引掛凹部１３ｃが設けられており、閉位置にあるカバー１３を開く際には操作凹部１２ｃを通じて手の爪などを引掛凹部１３ｃに挿入して引掛けることにより、容易にカバー１３を開くことができるようになっている。
【００２４】
また、第２の凹部１２の底面においてプラグ挿入穴１０ｂ，１０ｃの下側にはカバー挿通穴１２ｄが前後に貫設され、後側ボディ４において収納凹部４０の下側にはカバー収納凹部４２が設けられている。また、軸受け凹部１２ａは後方へ開放され、カバー収納凹部４２の左右の内面にはそれぞれ軸受け凹部１２ａに連通するガイド凹部４２ａが設けられている。カバー挿通穴１２ｄ及びカバー収納凹部４２の寸法形状は、それぞれカバー１３を閉位置で上方から見た寸法形状よりも僅かに大きくしてある。これにより、カバー１３が開位置にあるときには、カバー１３を後方へ押し込むことにより、軸突起１３ａを軸受け凹部１２ａからガイド凹部４２ａへスライドさせ、カバー１３をカバー収納凹部４２から第２の凹部１２にかけて収納し、カバー１３が前側ボディ５の前方へ突出しないようにすることができる。
【００２５】
さらに、前側ボディ５の後側には、例えば金属板に打ち抜き加工や曲げ加工が施されてなり前後に扁平な取付板７が、前側ボディ５の後面との間に隙間を空けて前側ボディ５に対し例えば嵌合により固定されている。取付板７においてモジュラジャック２ａ〜２ｃのプラグ挿入口２１ａの前側となる位置には、それぞれモジュラプラグが挿通されるプラグ挿通穴７０ａ〜７０ｃが前後に貫設されている。
【００２６】
また、前側ボディ５には、モジュラジャック２ａ〜２ｃのプラグ挿入口２１ａへの埃等の異物の侵入を阻止するために、各プラグ挿入穴１０ａ〜１０ｃを開閉する扉体８ａ〜８ｃが取り付けられている。各扉体８ａ〜８ｃはそれぞれ例えば合成樹脂成形品からなり前後に扁平であって、取付板７と前側ボディ５との間で、それぞれプラグ挿入穴１０ａ〜１０ｃを閉塞する閉位置と、プラグ挿入穴１０ａ〜１０ｃの上方に退避してプラグ挿入穴１０ａ〜１０ｃを開放する開位置との間でスライド可能にガイドされている。各扉体８ａ〜８ｃの下端には、それぞれ操作突起８２ａ，８３ａが前方へ突設されている。各操作突起８２ａ，８３ａはそれぞれプラグ挿入穴１０ａ〜１０ｃの開口よりも前方へ突出しており、扉体８ａ〜８ｃを開く際には操作突起８２ａ，８３ａに手の爪等を引掛けることにより容易に扉体８ａ〜８ｃを操作することができる。また、各扉体８ａ〜８ｃの前面には、それぞれ扉体８ａ〜８ｃを開く方向を示す上向きの矢印が描かれている。
【００２７】
電話機用プラグ挿入穴１０ａを開閉する電話機用扉体８ａと、スプリッタ入力側用プラグ挿入穴１０ｂを開閉するスプリッタ入力側用扉体８ｂとは、それぞれ、閉位置においてプラグ挿入穴１０ａ，１０ｂの上半分を覆う上側板８１と、閉位置においてはプラグ挿入穴１０ａ，１０ｂの下半分を覆い開位置においては上側板８１の後側に重なる下側板８２とからなる。操作突起８２ａは下側板８２に設けられている。上側板８１の上端には、扉体８ａ，８ｂが開く際に下側板８２が入り込む隙間を取付板７との間に確保するための突起８１ａが、左右両端からそれぞれ後方へ突設されている。
【００２８】
以下、本実施形態の要旨たる、回路切替に関わる構成について説明する。
【００２９】
本実施形態は、入力端子３０を電話機用モジュラジャック２ａとスプリッタ入力側用モジュラジャック２ｂとの一方に択一的に接続する切替スイッチ９１と、切替スイッチ９１が実装された実装基板９０とからなるスイッチブロック９を備える。切替スイッチ９１は実装基板９０から離れる方向へ弾性的に突出するハンドル９１ａを有し、このハンドル９１ａが押し込まれているか否かに応じて接点が切り替えられるものである。取付板７においてスプリッタ出力側用モジュラジャック２ｃに対応するプラグ挿通穴７０ｃの上側にはスイッチ挿通穴７１が前後に貫設されており、スイッチブロック９は、ハンドル９１ａをスイッチ挿通穴７１に通して取付板７の前方へ突出させるようにして、例えば実装基板９０に挿通されて前側ボディ５に螺合するねじ（図示せず）でのねじ止めにより前側ボディ５に固定されている。ここにおいて、切替スイッチ９１のハンドル９１ａの前面は上方へ向かって前方への突出寸法を大きくするように傾斜している。
【００３０】
スプリッタ出力側用プラグ挿入穴１０ｃを開閉するスプリッタ出力側用扉体８ｃは、下端に操作突起８３ａが設けられ閉位置においてスプリッタ出力側用プラグ挿入穴１０ｃを閉塞する本体部８３ｂと、本体部８３ｂの上方に突設されたスイッチ操作部８３ｃとを有する。スイッチ操作部８３ｃの前面には、２個のばね受け片８３ｄが左右に並べて前方へ突設されている。前側ボディ５には、ばね受け片８３ｄの上側に位置するばね受け部が設けられている。スプリッタ出力側用扉体８ｃの各ばね受け片８３ｄと前側ボディ５のばね受け部との間には、それぞれ圧縮コイルばねからなる復帰ばね８４が軸方向を上下方向に向けて配置され、この復帰ばね８４によりスプリッタ出力側用扉体８ｃは閉位置への復帰力を与えられている。また、各ばね受け片８３ｄの上面にはそれぞればね受け突起８３ｅが上方へ突設されていて、各ばね受け突起８３ｅがそれぞれ復帰ばね８４の下端に挿入されることにより、復帰ばね８４がばね受け片８３ｄから外れることがないようになっている。
【００３１】
本実施形態の動作を説明する。スプリッタ出力側用モジュラジャック２ｃにモジュラプラグが接続されていない状態では、図１（ａ）（ｂ）及び図７に示すように、スプリッタ出力側用扉体８ｃは復帰ばね８４のばね力により閉位置を維持し、スイッチ操作部８３ｃは、切替スイッチ９１のハンドル９１ａの下方に位置する。この状態では、ハンドル９１ａは押し込まれていないから、図４（ａ）に示すように入力端子３０は電話機用モジュラジャック２ａに接続される。
【００３２】
スプリッタ出力側用モジュラジャック２ｃにモジュラプラグが接続される際に、スプリッタ出力側用扉体８ｃが復帰ばね８４のばね力に抗して上方へスライドさせられると、スイッチ操作部８３が切替スイッチ９１のハンドル９１ａの傾斜した前面上を摺動することによりハンドル９１ａを押し込む。ここで、スイッチ操作部８３の後面において切替スイッチ９１のハンドル９１ａに臨む部分は、上方へ向かって前方へ傾斜しており、スイッチ操作部８３が切替スイッチ９１のハンドル９１ａに引っ掛からずに滑らかに摺動するようになっている。そして、スプリッタ出力側用扉体８ｃが図８（ａ）（ｂ）及び図９に示す開位置に至るときには、ハンドル９１ａは充分に押し込まれ、切替スイッチ９１は図４（ｂ）に示すように入力端子３０をスプリッタ入力側用モジュラジャック２ｂに接続する状態に切り替わる。すなわち、スプリッタＳＰのＬＩＮＥ端子に接続されたモジュラプラグをスプリッタ入力側用モジュラジャック２ｂに接続するとともに、スプリッタＳＰのＰＨＯＮＥ端子に接続されたモジュラプラグをスプリッタ出力側用モジュラジャック２ｃに接続すれば、スプリッタＳＰによってＡＤＳＬ信号から分離されＰＨＯＮＥ端子から出力された電話用信号を、電話機用モジュラジャック２ａに供給することができる。また、この状態では、加入者線を伝送されたＡＤＳＬ信号はスプリッタＳＰにおいて分離されて電話機用モジュラジャック２ａには到達しないから、電話機用モジュラジャック２ａに接続された電話機等の機器にＡＤＳＬ信号が到達してノイズを引き起こすことがない。
【００３３】
次に、スプリッタ出力側用モジュラジャック２ｃからモジュラプラグが抜かれると、復帰ばね８４のばね力によりスプリッタ出力側用扉体８ｃが復帰し、切替スイッチ９１は図４（ａ）のように入力端子３０を電話機用モジュラジャック２ａに接続した状態に戻る。すなわち、復帰ばね８４により、スプリッタ出力側用扉体８ｃの閉め忘れによる接続不良が防止されている。
【００３４】
上記構成によれば、スプリッタ出力側用扉体８ｃを操作するだけで切替スイッチ９１を切り替えることができるから、例えば切替スイッチ９１のハンドル９１ａをスプリッタ出力側用モジュラジャック２ｃのプラグ挿入口２１ａ内に設ける場合に比べ、切替スイッチ９１を切り替えて行う点検が容易である。
【００３５】
ここで、扉体８ａ〜８ｃのうち切替スイッチ９１が連動するものとして、スプリッタ入力側用プラグ挿入穴１０ｂを開閉する扉体８ｂを選択した場合、使用者がスプリッタＳＰのＰＨＯＮＥ端子をスプリッタ出力側用モジュラジャック２ｃに接続せずに他の機器に接続してしまったときには、電話機用モジュラジャック２ａに接続された機器は加入者線から切り離されてしまうことになる。これに対し、本実施形態では、扉体８ａ〜８ｃのうち切替スイッチ９１が連動するものとして、スプリッタ出力側用プラグ挿入穴１０ｃを開閉する扉体８ｃを選択しているから、電話機用モジュラジャック２ａに接続された機器は、スプリッタＳＰを介しているか否かを問わず確実に加入者線との接続が確保される。
【図面の簡単な説明】
【００３６】
【図１】本発明の実施形態においてスプリッタ出力側用モジュラジャックのプラグ挿入口が扉体によって閉じられた状態を示す図であり、（ａ）は組立枠を省いた正面図、（ｂ）は（ａ）のＡ−Ａ断面図である。
【図２】同上を示す斜視図である。
【図３】同上を示す分解斜視図である。
【図４】同上の動作を示す説明図であり、（ａ）（ｂ）は切替スイッチが互いに異なる側に切り替えられた状態を示す。
【図５】同上においてカバーを閉じた状態を示す正面図である。
【図６】同上においてカバーを開いた状態を示す正面図である。
【図７】同上においてスプリッタ出力側用モジュラジャックのプラグ挿入口が扉体によって閉じられた状態を示す、組立枠とカバーと前側ボディとを取り外した斜視図である。
【図８】同上においてスプリッタ出力側用モジュラジャックのプラグ挿入口が開放された状態を示す図であり、（ａ）は組立枠を省いた正面図、（ｂ）は（ａ）のＢ−Ｂ断面図である。
【図９】同上においてスプリッタ出力側用プラグ挿入口が開放された状態を示す、組立枠とカバーと前側ボディとを取り外した斜視図である。
【符号の説明】
【００３７】
１  ハウジング
２ａ  電話機用モジュラジャック
２ｂ  スプリッタ入力側用モジュラジャック
２ｃ  スプリッタ出力側用モジュラジャック
８ａ〜８ｃ  扉体
３０  入力端子
９１  切替スイッチ
【図１】
2007227176.tif 000003
【図２】
2007227176.tif 000004
【図３】
2007227176.tif 000005
【図４】
2007227176.tif 000006
【図５】
2007227176.tif 000007
【図６】
2007227176.tif 000008
【図７】
2007227176.tif 000009
【図８】
2007227176.tif 000010
【図９】
2007227176.tif 000011